(57)【要約】【課題】  トランクチャネル毎の障害発生を対向局に通知する手段を得る。【解決手段】  ゲートウェイ装置１００内の信号処理部１０４で機器アラームが発生した際に、送信ＣＨ−ＡＩＳデータ生成部１０９がトランクチャネル毎のアラーム情報を含むＣＨ−ＡＩＳデータを生成し、パケット組立て部１０５が生成されたＣＨ−ＡＩＳデータをパケット化して対向局のゲートウェイ装置１００に送信し、対向局側のゲートウェイ装置１００は、受信したＣＨ−ＡＩＳパケットを受信ＣＨ−ＡＩＳデータ解析部１１０において解析し、ＡＩＳトランク出力部１０１を介して自局の交換機にトランクチャネル単位のＡＩＳを通知する。【選択図】        図１
2005328380.tif 000002
【特許請求の範囲】
【請求項１】
ＩＰネットワーク上で対向構成され、上記ＩＰネットワークと交換機を中継するゲートウェイ装置において、
自局内の各々のチャネルに対応して設けられ、各チャネルのデータ処理を行う複数の信号処理部と、
上記信号処理部における障害発生を監視する機器アラーム監視制御部と、
上記機器アラーム監視制御部から通知される障害発生情報に基づいて、障害が発生した信号処理部に対応するチャネル毎の障害発生データを生成する障害発生データ生成部と、
上記障害発生データをパケット化するパケット組立て部と、
上記パケット組立て部から出力されるパケットデータを対向するゲートウェイ装置へ送信するパケット送信部と、
対向するゲートウェイ装置から送信された障害発生データのパケットを受信するパケット受信部と、
受信したパケットを分解して障害発生データを抽出するパケット分解部と、
上記パケット分解部で抽出された障害発生データに基づいて、障害が発生したチャネルが、自装置のどのチャネルに該当するかを解析する障害発生データ解析部と、
上記障害発生データ解析部による解析結果に基づいて、チャネル単位の障害発生情報を自局側に通知する障害発生情報出力部を備えたことを特徴とするゲートウェイ装置。
【請求項２】
交換機側のインタフェースの障害発生を監視するインタフェースアラーム監視制御部を備え、
障害発生データ生成部は、上記インタフェースアラーム監視制御部から通知される障害発生情報に基づいて、チャネル単位の障害発生データを生成することを特徴とする請求項１記載のゲートウェイ装置。
【発明の詳細な説明】
【技術分野】
【０００１】
この発明は、ゲートウェイ装置に関するものである。
【背景技術】
【０００２】
ＰＳＴＮ網（Ｐｕｂｌｉｃ  Ｓｗｉｔｃｈｅｄ  Ｔｅｌｅｐｈｏｎｅ  Ｎｅｔｗｏｒｋｓ：公衆交換電話網）と、ＩＰ（Ｉｎｔｅｒｎｅｔ  Ｐｒｏｔｏｃｏｌ）網を接続するゲートウェイ装置における障害監視機能については、従来、様々な技術が提案されている。
例えば特許文献１に開示された従来のゲートウェイ装置は、送信側のＶｏＩＰ（Ｖｏｉｃｅ  ｏｖｅｒ  Ｉｎｔｅｒｎｅｔ  Ｐｒｏｔｏｃｏｌ）ゲートウェイ装置においてＩＰネットワークの障害有無を監視し、監視結果を含む状態報告信号を生成し、それを周期的に、音声通信路を介して通信相手先ＶｏＩＰゲートウェイ装置へ送信する。そして、所定の時間内に、通信相手先からの状態報告信号の受信が行われない場合、音声通信路に障害が発生したと判断して、該当する呼の切断処理を行う。
また、特許文献２に開示された従来の音声ゲートウェイ装置は、通信相手となる複数の音声ゲートウェイ装置の障害情報を周期的に確認して状態管理テーブルに格納しておく。そして、発信時に状態管理テーブルを参照し、障害のある音声ゲートウェイ装置を通信相手として選択しないよう制御することにより、呼接続時間の短縮化を実現する。
【０００３】
【特許文献１】特開２００２−２９０４６０号公報
【特許文献２】特開２００２−２９０５５０号公報
【発明の開示】
【発明が解決しようとする課題】
【０００４】
従来のゲートウェイ装置では、ゲートウェイ装置内の一部のトランクチャネルに対応するハードウェアに障害が発生した場合、通信相手のゲートウェイ装置にその障害を通知する手段がなく、障害が発生したトランクチャンネルにおいて通信が不通になるという問題があった。
また、従来のゲートウェイ装置では、ＰＳＴＮ側で発生した障害を対向局に通知する手段がないという問題があった。
【０００５】
この発明は上記のような課題を解決するためになされたもので、チャネル単位の障害発生を対向局に通知する手段を得ることを目的とする。
【課題を解決するための手段】
【０００６】
この発明に係るゲートウェイ装置は、ＩＰネットワーク上で対向構成され、ＩＰネットワークと交換機を中継するゲートウェイ装置であって、各々のチャネルに対応して設けられ、各チャネルのデータ処理を行う複数の信号処理部と、信号処理部における障害発生を監視する機器アラーム監視制御部と、機器アラーム監視制御部から通知される障害発生情報に基づいて、障害が発生した信号処理部に対応するチャネル毎の障害発生データを生成する障害発生データ生成部と、障害発生データをパケット化するパケット組立て部と、パケット組立て部から出力されるパケットデータを対向するゲートウェイ装置へ送信するパケット送信部と、対向するゲートウェイ装置から送信された障害発生データのパケットを受信するパケット受信部と、受信したパケットを分解して障害発生データを抽出するパケット分解部と、パケット分解部で抽出された障害発生データに基づいて、障害が発生したチャネルが、自装置のどのチャネルに該当するかを解析する障害発生データ解析部と、障害発生データ解析部による解析結果に基づいて、チャネル単位の障害発生情報を自局側に通知する障害発生情報出力部を備えたものである。
【発明の効果】
【０００７】
この発明によれば、装置内のＤＳＰなどの機器アラーム発生時に、該当するトランクチャネル単位でのアラーム情報を含むパケットを生成して対向局に送信し、対向局側では、ＰＳＴＮ側にトランクチャネル単位でのアラーム情報を通知するようにしたので、対向局にトランクチャネル単位のアラーム情報を通知することが可能となる。
【発明を実施するための最良の形態】
【０００８】
以下、この発明の実施の様々な形態を説明する。
実施の形態１．
図１は、この発明の実施の形態１による、ゲートウェイ装置１００の構成を示すブロック図である。ゲートウェイ装置１００は、ＰＳＴＮ網とＩＰ網を接続するゲートウェイ装置であり、通信相手のＰＳＴＮ網のゲートウェイ装置と対向する構成で用いられる。図に示すように、ゲートウェイ装置１００は、ＡＩＳトランク出力部（障害発生情報出力部）１０１、インタフェースアラーム監視制御部１０２、エコーキャンセラ１０３、信号処理部１０４、パケット組立て部１０５、パケット分解部１０６、パケット送受信部（パケット送信部、パケット受信部）１０７、機器アラーム監視制御部１０８、送信ＣＨ−ＡＩＳデータ生成部（障害発生データ生成部）１０９、及び受信ＣＨ−ＡＩＳデータ解析部（障害発生データ解析部）１１０を備えている。
信号処理部１０４は、例えばＤＳＰ（Ｄｉｇｉｔａｌ  Ｓｉｇｎａｌ  Ｐｒｏｃｅｓｓｏｒ）チップなどのデバイスである。信号処理部１０４はゲートウェイ装置１００のＰＳＴＮ網交換機側のインタフェースにおけるトランクチャネル毎に設けられており、各信号処理部１０４の障害は、対応するトランクチャネルにのみ影響する。
【０００９】
次に動作について説明する。
図２は、実施の形態１による、ゲートウェイ装置１００の動作を説明する図である。
図に示すように、ゲートウェイ装置１００−Ａは、ＰＳＴＮ網（Ａ）側の交換機Ａと接続されており、ゲートウェイ装置１００−Ｂは、対向するＰＳＴＮ網（Ｂ）側の交換機Ｂと接続されている。ゲートウェイ装置１００−Ａとゲートウェイ装置１００−Ｂは、ＩＰ網を介して接続されている。
ゲートウェイ装置１００−Ａ内で、信号処理部１０４の暴走などの障害が発生すると、ゲートウェイ装置１００−Ａは、ＩＴＵ−Ｔ勧告Ｇ．７０３／７０４の規定に従い、ＡＩＳトランク出力部１０１を介してＡＩＳ（Ａｌａｒｍ  Ｉｎｄｉｃａｔｉｏｎ  Ｓｉｇｎａｌ）を交換機Ａに通知する。
さらに、機器アラーム監視制御部１０８が障害発生を検知し、送信ＣＨ−ＡＩＳデータ生成部１０９に障害が発生した信号処理部１０４の情報を通知する。送信ＣＨ−ＡＩＳデータ生成部１０９は、障害が発生した信号処理部１０４の情報に基づいて、障害が発生したトランクチャネルを解析し、トランクチャネル毎のアラーム情報を含んだＣＨ−ＡＩＳデータを生成する。生成されたＣＨ−ＡＩＳデータは、パケット組立て部１０５においてパケットに組み立てられ、パケット送受信部１０７を介してＩＰ網に出力され、ゲートウェイ装置１００−Ｂに送信される。
【００１０】
図３は、実施の形態１によるＣＨ−ＡＩＳパケットのペイロード部の構成を示す図である。図に示すように、トランクチャネル毎に、ＡＩＳを通知することができる構成になっている。ここで、ＰＳＴＮ（Ａ）のトランクチャネルと対向局であるＰＳＴＮ（Ｂ）のトランクチャネルは１対１で対応しているので、ＣＨ−ＡＩＳパケットを受信した対向局側においても、どのトランクチャネルで障害が発生したのか認識することができる。なお、ＣＨ−ＡＩＳパケットは、周期的に対向局へ送信される。
【００１１】
ゲートウェイ装置１００−Ｂは、パケット送受信部１０７を介してゲートウェイ装置１００−Ａから送信されたＣＨ−ＡＩＳパケットを受信する。受信したＣＨ−ＡＩＳパケットは、パケット分解部１０６において分解され、受信ＣＨ−ＡＩＳデータ解析部１１０において、どのトランクチャネルのアラーム情報であるか解析される。解析結果はＡＩＳトランク出力部１０１に通知され、ＡＩＳトランク出力部１０１は、解析結果に基づいて、ＩＴＵ−Ｔ勧告Ｇ．７０３／７０４の規定に従い、交換機Ｂにトランクチャネル単位のＡＩＳを通知する。
【００１２】
以上のように、実施の形態１によれば、ゲートウェイ装置１００内の信号処理部１０４で機器アラームが発生した際に、送信ＣＨ−ＡＩＳデータ生成部１０９が、トランクチャネル毎のアラーム情報を含むＣＨ−ＡＩＳデータを生成し、パケット組立て部１０５が生成されたＣＨ−ＡＩＳデータをパケット化して対向局のゲートウェイ装置１００に送信し、対向局側のゲートウェイ装置１００は、受信したＣＨ−ＡＩＳパケットを受信ＣＨ−ＡＩＳデータ解析部１１０において解析し、ＡＩＳトランク出力部１０１を介して自局の交換機にトランクチャネル単位のＡＩＳを通知するようにしたので、対向局にトランクチャネル単位のアラーム情報を通知することが可能となる。
【００１３】
実施の形態２．
実施の形態２では、ゲートウェイ装置１００のＰＳＴＮインタフェースにおいて障害が発生した際に、対向局へトランクチャネル単位のアラーム情報を通知する。実施の形態２によるゲートウェイ装置１００の構成は実施の形態１と同様である。
【００１４】
ゲートウェイ装置１００は、ＰＳＴＮインタフェースに障害が発生すると、ＩＴＵ−Ｔ勧告Ｇ．７０３／７０４の規定に従い、ＡＩＳトランク出力部１０１を介してＡＩＳを交換機に通知する。
さらに、インタフェースアラーム監視制御部１０２は、障害が発生したインタフェースの情報を送信ＣＨ−ＡＩＳデータ生成部１０９に通知する。送信ＣＨ−ＡＩＳデータ生成部１０９は、障害が発生したインタフェースに対応するトランクチャネルを解析し、トランクチャネル毎のアラーム情報を含んだＣＨ−ＡＩＳパケットデータを生成する。生成されたＣＨ−ＡＩＳパケットデータは、パケット組立て部１０５においてパケットに組み立てられ、パケット送受信部１０７を介してＩＰ網に出力され、対向局のゲートウェイ装置１００に送信される。
【００１５】
対向局のゲートウェイ装置１００は、パケット送受信部１０７を介してＣＨ−ＡＩＳパケットを受信する。受信したＣＨ−ＡＩＳパケットは、パケット分解部１０６において分解され、受信ＣＨ−ＡＩＳデータ解析部１１０において、どのトランクチャネルのアラーム情報であるか解析される。解析結果はＡＩＳトランク出力部１０１に通知され、ＡＩＳトランク出力部１０１は、解析結果に基づいて、ＩＴＵ−Ｔ勧告Ｇ．７０３／７０４の規定に従い、交換機Ｂにトランクチャネル単位のＡＩＳを通知する。
【００１６】
以上のように、実施の形態２によれば、ゲートウェイ装置１００のＰＳＴＮインタフェースで障害が発生した際に、送信ＣＨ−ＡＩＳデータ生成部１０９が、トランクチャネル毎のアラーム情報を含むＣＨ−ＡＩＳデータを生成し、パケット組立て部１０５が生成されたＣＨ−ＡＩＳデータをパケット化して対向局のゲートウェイ装置１００に送信し、対向局側のゲートウェイ装置１００は、受信したＣＨ−ＡＩＳパケットを受信ＣＨ−ＡＩＳデータ解析部１１０において解析し、ＡＩＳトランク出力部１０１を介して自局の交換機にトランクチャネル単位のＡＩＳを通知するようにしたので、対向局にトランクチャネル単位のインタフェースアラーム情報を通知することが可能となる。
【図面の簡単な説明】
【００１７】
【図１】この発明の実施の形態１による、ゲートウェイ装置の構成を示すブロック図である。
【図２】この発明の実施の形態１による、ゲートウェイ装置の動作を説明する図である。
【図３】この発明の実施の形態１による、ＣＨ−ＡＩＳパケットのペイロード部の構成を示す図である。
【符号の説明】
【００１８】
１００  ゲートウェイ装置、１０１  ＡＩＳトランク出力部（障害発生情報出力部）、１０２  インタフェースアラーム監視制御部、１０３  エコーキャンセラ、１０４  信号処理部、１０５  パケット組立て部、１０６  パケット分解部、１０７  パケット送受信部（パケット送信部、パケット受信部）、１０８  機器アラーム監視制御部、１０９  送信ＣＨ−ＡＩＳデータ生成部（障害発生データ生成部）、１１０  受信ＣＨ−ＡＩＳデータ解析部（障害発生データ解析部）。
【図１】
2005328380.tif 000003
【図２】
2005328380.tif 000004
【図３】
2005328380.tif 000005